(57)【要約】【課題】明瞭かつ音質的に安定した音声データを簡単に録音できて設置作業等を容易に行うことができると共に、通報先に正確な音声データを通報可能な通報装置を提供する。【解決手段】通報操作可能な通報ボタンと、音声変換ソフト等の音声変換手段でテキストデータをデジタルデータに変換した音声データを録音可能な録音部と、該録音部に録音された音声データを通報可能な通報部と、音声データを録音部に録音すると共に、通報ボタンが通報操作された場合に、録音部に録音されている所定の音声データを選択して通報部から予め登録されている通報先に通報する制御部と、を備えることを特徴とする。【選択図】図２
2016181096.tif 000002
【特許請求の範囲】
【請求項１】
通報操作可能な通報ボタンと、文字からなる文章データが音声変換手段でデジタルデータに変換された音声データを録音可能な録音部と、該録音部に録音された音声データを通報可能な通報部と、前記音声データを前記録音部に録音すると共に、前記通報ボタンが通報操作された場合に、前記録音部に録音されている所定の音声データを選択して前記通報部から予め登録されている通報先に自動的に通報する制御部と、を備えることを特徴とする通報装置。
【請求項２】
前記音声変換手段が音声を再生可能な再生機器に組み込まれた音声変換ソフトで構成され、該再生機器の音声変換ソフトによりテキストデータが前記音声データに変換されて、該音声データが前記制御部に接続された音声データ入力部に送信されることを特徴とする請求項１に記載の通報装置。
【請求項３】
前記音声変換手段が通報装置本体に組み込まれた音声変換ソフトで構成され、該音声変換ソフトによりテキストデータが前記音声データに変換されて、該音声データが前記録音部に録音されることを特徴とする請求項１に記載の通報装置。
【請求項４】
前記音声変換手段で変換された音声データが前記制御部に送信され、該制御部が受信した音声データを前記録音部に録音すると共に、録音終了後に当該録音部に録音された音声データを自動的に再生することを特徴とする請求項１ないし３のいずれかに記載の通報装置。
【発明の詳細な説明】
【技術分野】
【０００１】
本発明は、火災発生時に消防署に通報する火災通報装置や、住人の異常を検知して管理会社に通報する緊急通報装置等の、装置自体に音声メッセージが録音される通報装置に関する。
【背景技術】
【０００２】
従来、火災通報装置においては、例えば「こちらは  ○○市○○町○○番地です。火災が発生しました。」等の音声メッセージが録音されており、火災が発生した場合に、通報装置に設けた火災通報ボタンを押すことで、録音されている音声メッセージが消防署等に自動的に通報されて電話から流れる（再生される）ようになっている。そして、この通報装置への音声メッセージの録音は、通報装置を設置する現地にて、工事店等の担当者が通報装置に設けられているマイクを使用して行っているのが一般的である。なお、火災通報装置に関する公報としては、例えば特許文献１がある。
【先行技術文献】
【特許文献】
【０００３】
【特許文献１】特開平１０−３３４３７５号公報
【発明の概要】
【発明が解決しようとする課題】
【０００４】
しかしながら、このような通報装置の音声メッセージの録音においては、例えば「火災が発生しました」という「固定メッセージ」が予め通報装置に録音されており、通報装置が設置される現地にて「住所」を追加録音しているため、「住所」と「固定メッセージ」の音声（音質）が異なり、音声メッセージの明瞭さの点で劣ると共に、住所の読み違え等で再度録音する必要があって録音に時間がかかる等、設置作業が面倒になり易い。
【０００５】
そこで、特に火災通報装置の音声メッセージにおいては、「女性の声で明瞭に聞こえること」という規定があることから、女性アナウンサーに音声メッセージをＲＯＭに録音してもらい、このＲＯＭを通報装置に取り付けることで女性の明瞭な音声メッセージを流すようにしている。しかし、このような場合でも、明瞭な音声メッセージが再生できるものの、通報装置専用のＲＯＭが必要になると共にこれらの準備にも時間やコストがかかり、結果として通報装置の設置作業等が非常に面倒になり易いという不都合を有している。
【０００６】
本発明は、このような事情に鑑みてなされたもので、その目的は、明瞭かつ音質的に安定した音声データを簡単に録音できて設置作業等を容易に行うことができると共に、通報先に正確な音声データを通報可能な通報装置を提供することにある。
【課題を解決するための手段】
【０００７】
かかる目的を達成すべく、本発明のうち請求項１に記載の発明は、通報操作可能な通報ボタンと、文字からなる文章データが音声変換手段でデジタルデータに変換された音声データを録音可能な録音部と、該録音部に録音された音声データを通報可能な通報部と、前記音声データを前記録音部に録音すると共に、前記通報ボタンが通報操作された場合に、前記録音部に録音されている所定の音声データを選択して前記通報部から予め登録されている通報先に自動的に通報する制御部と、を備えることを特徴とする。
【０００８】
また、請求項２に記載の発明は、前記音声変換手段が音声を再生可能な再生機器に組み込まれた音声変換ソフトで構成され、該再生機器の音声変換ソフトによりテキストデータが前記音声データに変換されて、該音声データが前記制御部に接続された音声データ入力部に送信されることを特徴とする。また、請求項３に記載の発明は、前記音声変換手段が通報装置本体に組み込まれた音声変換ソフトで構成され、該音声変換ソフトによりテキストデータが前記音声データに変換されて、該音声データが前記録音部に録音されることを特徴とする。
【０００９】
さらに、請求項４に記載の発明は、前記音声変換手段で変換された音声データが前記制御部に送信され、該制御部が受信した音声データを前記録音部に録音すると共に、録音終了後に当該録音部に録音された音声データを自動的に再生することを特徴とする。
【発明の効果】
【００１０】
本発明のうち請求項１に記載の発明によれば、制御部によりデジタルデータからなる音声データを録音部に録音すると共に、通報ボタンが通報操作された場合に、録音部に録音されている所定の音声データを選択して通報部から予め登録されている通報先に通報するため、例えばテキストデータ（文字だけの文章）を音声データとして録音できて、明瞭かつ音質的に安定した音声メッセージを簡単に録音でき、通報装置本体の設置作業等を容易に行うことができると共に、通報先に正確な音声データを通報することができる。
【００１１】
また、請求項２に記載の発明によれば、請求項１に記載の発明の効果に加え、再生機器に組み込まれた音声変換手段としての音声変換ソフトにより、テキストデータが音声データに変換されて通報装置本体の制御部に接続された音声データ入力部に送信されるため、例えばパソコンで入力したテキストデータが音声変換ソフトで変換された音声データ（テキストファイル）をメール等で制御部に送信できて、通報装置本体の録音部に所望の音声データを簡単かつ正確に録音できる。
【００１２】
また、請求項３に記載の発明によれば、請求項１に記載の発明の効果に加え、通報装置本体に組み込まれた音声変換手段としての音声変換ソフトにより、テキストデータが音声データに変換されて録音部に録音されるため、通報装置本体に音声変換ソフトを組み込みことで、現地で音声データの録音を行うことができる等、設置作業等を一層容易に行うことができる。
【００１３】
さらに、請求項４に記載の発明によれば、請求項１ないし３に記載の発明の効果に加え、音声変換手段で変換された音声データが再生機器で再生されつつ通報装置本体に送信され、通報装置本体の制御部が、受信した音声データを録音部に録音すると共に録音終了後に録音部に録音された音声データを自動的に再生するため、音声データを確認しつつ録音できると共に録音状態をも確認できて、一層明瞭で正確な音声データの録音及び通報を簡単に行うことができる。
【図面の簡単な説明】
【００１４】
【図１】本発明に係わる通報装置としての火災通報装置の一実施形態を示す正面図
【図２】同そのブロック構成図
【図３】同再生機器との接続状態を示す図
【図４】同その再生機器の一例を示すブロック構成図
【図５】同音声データの録音手順を示す工程図
【発明を実施するための形態】
【００１５】
以下、本発明を実施するための形態を図面に基づいて詳細に説明する。
図１〜図５は、本発明に係わる通報装置を火災通報装置に適用した場合の一実施形態を示している。この火災通報装置は、図３に示すように、通報装置本体１と、この通報装置本体１に接続される再生機器としてのパソコン２とで構成されている。
【００１６】
前記通報装置本体１は、図１に示すように、正面視正方形の筐体３を有し、この筐体３の前面には操作パネルを兼ねるカバー４が配設されている。このカバー４には、火災が発生した場合に押圧（通報）操作する火災通報ボタン５と、通報を中断させる通話割込ボタン６と、火災が発生し通報が終了した場合に点灯し通報中の場合に点滅する火災灯７と、応答通報中で相手が応答している場合に点灯し相手を呼び出し中の場合に点滅する応答確認灯８と、設定または点検動作作動中に点灯する点検灯９及び電源灯１０等が配設されている。
【００１７】
また、筐体３内部には、後述する制御部１１や電源入力部１２、通報部１３、録音部１４等が配設（構築）されると共に、音声データ入力部１５を構成する音声入力ジャック１５ａや各種端子台等が配設されている。なお、前記カバー４は図示しないネジカバーを取り外すことで、筐体３の前面から取り外し可能となって、前記音声入力ジャック１５ａが前面に露出するようになっている。
【００１８】
図２は、前記通報装置本体１のブロック構成図を示している。図２に示すように、通報装置本体１は、前述したように筐体３内に配設された制御部１１を有し、この制御部１１は、ＣＰＵ１１ａ、ＲＯＭ１１ｂ、ＲＡＭ１１ｃ等を有している。この制御部１１の入力側には、前記電源入力部１２と、火災通報ボタン５、通話割込ボタン６が接続されると共に、前記音声データ入力部１５が接続されている。また、制御部１１の出力側には、前記火災灯７、応答確認灯８、点検灯９及び電源灯１０等からなる表示灯１６と、設定や点検及び異常発生時に各種情報を表示する液晶表示器１７と、後述する録音された音声データ等を再生するスピーカ１８等が接続されている。
【００１９】
さらに、制御部１１には、後述する音声データを録音、記憶、記録（本発明ではこれらを録音という）する前記録音部１４が接続されると共に、制御部１１の出力側には前記通報部１３が接続されている。そして、前記音声データ入力部１５には、後述する再生機器（パソコン２）の音声データ送信部３０が接続されると共に、通報部１３は、通信回線を介して消防署や予め前記ＲＡＭ１１ｃに設定登録した一般通報先に、所定の音声データ（音声メッセージ）を送信するようになっている。なお、前記火災通報装置の場合、通報装置本体１の例えば左側面には図示しない専用電話機が取付可能となっている。
【００２０】
このように構成された通報装置本体１は、前記録音部１４に音声データを録音するために、図３に示すように、再生機器としてのノート型のパソコン２に音声ケーブル１９を介して接続されるようになっており、このパソコン２は、例えば図４に示すように構成されている。
【００２１】
すなわち、パソコン２は、バスライン２０を介して接続されたＣＰＵ２１、ＲＡＭ２２、ＲＯＭ２３、ハードディスク等の記憶部２４、ＲＯＭ等からなる変換ソフト記憶部２５、及びＩ／Ｏポート２６等を有している。このＩ／Ｏポート２６には、文字を入力するためのキーボードやマウスからなる入力部２７と、液晶ディスプレイ２８と、音声変換した音声データを再生可能なスピーカ２９が接続されると共に、音声データを送信可能な音声データ送信部３０等が接続されている。
【００２２】
そして、入力部２７で入力される文字だけの文章からなるテキストデータが、変換ソフト記憶部２５に記憶されている音声変換ソフトで音声データ（デジタルデータ）に変換され、この音声データ（音声ファイル）が前記音声データ送信部３０から通報装置本体１に後述する如く送信されるようになっている。
【００２３】
次に、再生機器として前記パソコン２を使用した場合の、前記音声データの通報装置本体１への録音手順を図５に基づいて説明する。なお、この音声データの録音は、例えば通報装置本体１の製造会社やあるいは施工業者において、施工現場（現地）への出荷前に行われることになる。先ず、音声データの録音にあたっては、前記音声ケーブル１９としてのステレオミニプラグケーブルを準備し、パソコン２を起動させ音声変換ソフトを使用して、通報装置本体１（図５では本機という）で使用される「音声データ」をパソコン２の録音部としての例えば記憶部２４に録音（Ｓ０１）する。
【００２４】
このとき、録音される音声データは、パソコン２の入力部２７のキーボードから入力される文字だけの文章、つまりテキストデータで、このテキストデータが音声変換ソフトで女性の音声に変換され、音声ファイルとして記憶部２４に録音されることになり、音声メッセージとしての全ての音声データが同一の女性の明瞭な音声となる。
【００２５】
パソコン２に音声データを録音したら、次に、パソコン２と通報装置本体１とを音声ケーブル１９で接続（Ｓ０２）する。この接続は、音声ケーブル１９の一方のプラグをパソコン２の音声出力ジャックに差し込み、他方のプラグを通報装置本体１の前記カバー４を取り外した状態で前記音声入力ジャック１５ａに差し込むことで行うことができる。音声ケーブル１９の接続が完了したら、パソコン２を音声再生スタンバイ状態（Ｓ０３）にし、通報装置本体１を録音状態に設定（Ｓ０４）する。
【００２６】
この状態で、パソコン２で録音されている音声データを再生・送信（Ｓ０５）する。このパソコン２での音声データの再生・送信時に、音声データが例えばメール形式で音声データ送信部３０及び音声ケーブル１９を介して、通報装置本体１の音声データ入力部１５にメール送信される。そして、通報装置本体１は、制御部１１が音声データ入力部１５で受信した音声データを録音部１４に自動録音（Ｓ０６）し、この録音が終了すると通報装置本体１の録音部１４に録音した音声データが自動再生（Ｓ０７）されて一連の録音作業が終了する。
【００２７】
つまり、パソコン２の入力部２７でキー入力された文章のテキストデータに基づいて作成された音声データが、パソコン２での再生と略同時に送信されて通報装置本体１の録音部１４に録音されることになり、パソコン２で再生される音声データと、通報装置本体１に録音された音声データを再生確認しつつ、録音作業が行えることになる。このとき、パソコン２から送信される音声データが間違っている場合等には、パソコン２で修正した音声データを再度送信することで正確な音声データが通報装置本体１に簡単に録音できることになる。
【００２８】
このように、前記実施形態の火災通報装置によれば、通報装置本体１の制御部１１により、デジタルデータからなる音声データを録音部１４に録音すると共に、火災通報ボタン５が押圧（通報）操作された場合に、録音部１４に録音されている所定の音声データを選択して通報部１３から予め登録されている消防署や一般通報先に通報するため、例えばテキストデータを音声データとして、明瞭かつ音質的に安定した状態で簡単に録音できる等、通報装置本体１の製造・出荷やその設置作業等の各種作業を容易に行うことができると共に、装置設置後の火災発生時等に通報先に正確な音声データを通報することができる。
【００２９】
また、音声変換ソフトが音声を再生可能なパソコン２に組み込まれ、この音声変換ソフトによりテキストデータが音声データに変換されて通報装置本体１の制御部１１に接続された音声データ入力部１５にメール送信されるため、例えばパソコン２で入力した文字だけの文章（テキストデータ）をパソコン２内に組み込んだ音声変換ソフトを利用して通報装置本体１に送信できて、通報装置本体１の録音部１４に所望の音声データを簡単かつ正確に録音できて、通報装置本体１に係わる各種作業を一層容易に行うことができる。
【００３０】
特に、音声メッセージとしてテキストデータで作成した音声データを使用するため、通報装置本体１に予め録音されている固定メッセージも、テキストデータで作成した音声データとして書き換えることができ、通報される音声データが同じ音質で同じ人がしゃべってるものと同一となり、規定に合致した聞き易く違和感のない女性の音声メッセージを容易に録音することができる。また、テキストデータを音声変換ソフトで音声変換するため、住所等の読み違いを音声変換ソフトの学習機能等で防止できると共に、例えば「工場」が「こうじょう」なのか「こうば」なのかの対応等も確実に行うことができる。
【００３１】
また、パソコン２の音声出力ジャックと通報装置本体１の音声入力ジャック１５ａを音声ケーブル１９で接続するだけで、パソコン２の音声データを通報装置本体１の録音部１４に録音できて、通報装置本体１の製造会社やその施工業者の出荷前の設定を短時間で行うことができる等、製造や出荷作業等をより一層簡単に行うことができる。
【００３２】
さらに、通報装置本体１の制御部１１が音声変換ソフトで変換された音声データを再生しつつ録音部１４に録音すると共に、録音終了後に録音部１４に録音された音声データを自動的に再生するため、音声データを確認しつつ録音できると共に録音状態をも再生確認できて、明瞭で正確な音声データの録音を一層簡単に行うことができる。
【００３３】
ところで、前記実施形態では、再生機器としてのパソコン２内に音声変換ソフトを構築し、該変換ソフトで入力部２７で入力されるテキストデータを音声データに変換して通報装置本体１に送信したが、本発明はこれに限定されず、通報装置本体１のＲＯＭ等に音声変換ソフトを記憶させると共に、通報装置本体１に入力部を設けたり別途準備した入力機器でテキストデータを入力して、音声変換した音声データを録音部１４に録音するようにしても良い。このようにすれば、例えば施工現場での音声データの録音部１４への録音が可能になり、通報装置本体１の施工現場に応じた設置作業を一層容易かつ的確に行うことができる。
【００３４】
また、前記実施形態においては、再生機器としてパソコン２を使用したが、例えば図３に示すスマートファン３１やモバイル端末等の音声を再生可能で通信機能を有する各種メディアプレーヤーを使用することもできる。さらに、前記実施形態における、火災通報装置のブロック構成図、再生機器としてのパソコン２のブロック構成図、再生機器と通報装置本体１の接続構造等は一例であって、例えば、録音部１４を制御部１１のＲＯＭ１１ｂ内に構築したり、変換ソフト記憶部２５をＲＯＭ２３内に構築したり、あるいは再生機器に音声出力ジャックがない場合は、音声データを無線送信する等、本発明に係わる各発明の要旨を逸脱しない範囲において、適宜に変更することができる。
【産業上の利用可能性】
【００３５】
本発明は、火災通報装置に限らず、例えば住人の異常を検知して通報する緊急通報装置、各種非常時に通報する非常通報装置、あるいは警察に通報する１１０番通報装置等、全ての通報装置にも利用できる。
【符号の説明】
【００３６】
１・・・・・・・通報装置本体
２・・・・・・・パソコン（再生機器）
３・・・・・・・筐体
４・・・・・・・カバー
５・・・・・・・火災通報ボタン
１１・・・・・・制御部
１２・・・・・・電源入力部
１３・・・・・・通報部
１４・・・・・・録音部
１５・・・・・・音声データ入力部
１５ａ・・・・・音声入力ジャック
１６・・・・・・表示灯
１９・・・・・・音声ケーブル
２１・・・・・・ＣＰＵ
２４・・・・・・記憶部
２５・・・・・・変換ソフト記憶部
２７・・・・・・入力部
３０・・・・・・音声データ送信部
【図１】
2016181096.tif 000003
【図２】
2016181096.tif 000004
【図３】
2016181096.tif 000005
【図４】
2016181096.tif 000006
【図５】
2016181096.tif 000007